(57)【特許請求の範囲】
【請求項１】
サーバーの側面に設けられた突起を収容する装着溝を有するスライドレールを前記サーバーに固定するためのスライドレール固定装置であって、
弾性を有し、且つ前記突起を前記装着溝に係止する係止用突出部、前記スライドレールに固定される第一端部及び前記第一端部に対向する第二端部を備える位置決め部材と、
前記位置決め部材の第二端部に回転可能に取り付けられる解錠部材と、
を備え、前記スライドレールを前記サーバーに固定する場合、前記サーバーの突起を前記スライドレールの装着溝に収容し、さらに前記位置決め部材の係止用突出部で前記突起を前記装着溝に係止し、前記サーバーから前記スライドレールを取り除く場合、前記解錠部材を回転させて、前記解錠部材の片側が前記スライドレールに当接するとともに前記スライドレールに圧力を加え、前記位置決め部材の第二端部が前記サーバーから離れ、従って前記位置決め部材の係止用突出部が前記スライドレールから離れ、前記係止用突出部と前記突起が分離することを特徴とするスライドレール固定装置。
【請求項２】
前記装着溝は、Ｊ型であって、前記スライドレールのスライド方向に直交するガイド部と、前記ガイド部と連通し且つ前記スライドレールのスライド方向に平行する固定部とを備え、
前記位置決め部材は、前記係止用突出部の片側に位置する切り抜き部を更に備え、
前記スライドレールを前記サーバーに固定する場合、前記サーバーの突起が前記装着溝の固定部に収容され且つ固定されるとともに前記切り抜き部を貫通することを特徴とする請求項１に記載のスライドレール固定装置。
【請求項３】
前記位置決め部材の第二端部に枢着孔が穿設された枢着部が設けられ、
前記解錠部材に前記枢着孔に回転可能に装着する枢着軸が設けられることを特徴とする請求項１に記載のスライドレール固定装置。
【請求項４】
前記解錠部材の片側に当接部が形成され、該解錠部材を回転する時に前記当接部が前記スライドレールに当接するとともに前記スライドレールに圧力を加え、
前記スライドレールにおける前記装着溝に近付く一端に凸起が形成され、前記凸起の片側に傾斜面が形成され、
前記位置決め部材によって前記スライドレールを前記サーバーに固定する場合、前記解錠部材の当接部が前記凸起の傾斜面に当接することを特徴とする請求項１に記載のスライドレール固定装置。
【請求項５】
前記解錠部材の他側に前記解錠部材を回転するための操作部が形成されることを特徴とする請求項４に記載のスライドレール固定装置。
【請求項６】
前記位置決め部材における前記解錠部材の操作部に対応する位置に切り抜き部が設けられることを特徴とする請求項５に記載のスライドレール固定装置。
【請求項７】
前記位置決め部材の第二端部の両側に別々に一つの肩部が形成され、
前記解錠部材の操作部の両端から別々に一つのアーム部が延在し、前記解錠部材を回転させる時、前記二つのアーム部が前記位置決め部材の二つの肩部に対応するように止められることを特徴とする請求項４に記載のスライドレール固定装置。
【発明の詳細な説明】
【技術分野】
【０００１】
本発明は、スライドレールの固定装置に関するものである。
【背景技術】
【０００２】
スライドレールは、戸棚又は机と引き出しとの間とか、サーバーとラックとの間のような相対運動する二つの物体の間に広く用いられる。
【０００３】
サーバー・スライドレールは、一般的に内側レール、中間レール及び外側レールを含む三段式構造であって、前記外側レールは、サーバーのラックに固定され、前記内側レールは、サーバーの側面に固定され、且つ前記中間レールによって前記内側レールと前記外側レールを連接するため、サーバーの活動範囲を広げる。前記内側レール及び前記中間レールは、前記外側レールの軸方向に沿って前記外側レールに対して相対的に往復滑動することができ、従って前記スライドレールを利用してサーバーを自由に引き出すことができる。
【０００４】
しかし、前記内側レールと前記サーバーとの間は、複数のねじでロックしなければならなく、且つねじ回しなどのような工具が必要とするため、取り付け及び取り除き作業が複雑すぎる。
【発明の概要】
【発明が解決しようとする課題】
【０００５】
本発明の目的は、便利に取り付け及び取り除きをすることができるスライドレール固定装置を提供することである。
【課題を解決するための手段】
【０００６】
サーバーの側面に設けられた突起を収容する装着溝を有するスライドレールを前記サーバーに固定するためのスライドレール固定装置であって、弾性を有し、且つ前記突起を前記装着溝に係止する係止用突出部、前記スライドレールに固定される第一端部及び前記第一端部に対向する第二端部を備える位置決め部材と、前記位置決め部材の第二端部に回転可能に取り付けられる解錠部材と、を備え、前記スライドレールを前記サーバーに固定する場合、前記サーバーの突起を前記スライドレールの装着溝に収容し、さらに前記位置決め部材の係止用突出部で前記突起を前記装着溝に係止し、前記サーバーから前記スライドレールを取り除く場合、前記解錠部材を回転して、前記解錠部材の片側が前記スライドレールに当接するとともに前記スライドレールに圧力を加え、前記位置決め部材の第二端部が前記サーバーから離れ、従って前記位置決め部材の係止用突出部が前記スライドレールから離れ、前記係止用突出部と前記突起が分離する。
【発明の効果】
【０００７】
従来の技術に比べて、本発明のスライドレール固定装置は、サーバーに設けられた突起を位置決め部材に装着することにより、スライドレールをサーバーに固定し、且つ前記位置決め部材に取り付けられた解錠部材を回転することにより、前記位置決め部材と前記突起を分離させて、前記サーバーから前記スライドレールを取り除く。従って前記スライドレールを前記サーバーに便利に取り付けたり、又は前記サーバーから前記スライドレールを便利に取り除いたりすることができる。
【図面の簡単な説明】
【０００８】
【図１】本発明の実施形態に係るスライドレール固定装置のスライドレール及びサーバーの立体分解図である。
【図２】図１に示すスライドレール固定装置の構成部材の立体組立図である。
【図３】図２に示すスライドレール固定装置のIII―III線による局部断面図である。
【図４】図１に示すスライドレール固定装置の構成部材の使用状態を示す図である。
【図５】図４に示すスライドレール固定装置のＶ―Ｖ線による局部断面図である。
【発明を実施するための形態】
【０００９】
以下、図面に基づいて、本発明の実施形態に係るスライドレール固定装置に対して詳細に説明する。
【００１０】
図１を参照すると、本発明の実施形態に係るスライドレール固定装置は、位置決め部材３０及び解錠部材４０を備え、スライドレール２０をサーバー１０に固定することに用いられる。
【００１１】
前記サーバー１０の側面に、頸部及び前記頸部より大きい頭部を有する突起１１が設けられる。
【００１２】
前記スライドレール２０にガイド部２１１及び固定部２１３を含むＪ型装着溝２１が設置される。前記ガイド部２１１は、前記スライドレール２０のスライド方向に直交し、前記固定部２１３は、前記スライドレール２０のスライド方向に平行する。前記スライドレール２０の内側における前記装着溝２１に近づくところに複数の連接部２３が凸設される。前記スライドレール２０の一端に凸起２５が形成され、前記凸起２５における前記装着溝２１に向かう片側に傾斜面が形成される。
【００１３】
前記位置決め部材３０は、弾性を有する矩形プレートであって、その第一端部に複数の連接孔３４が形成され、その第二端部に枢着部３２が凸設され、前記第二端部における前記枢着部３２に隣り合う両端に別々に１つの肩部が形成される。前記枢着部３２に枢着孔３２２が穿設される。前記位置決め部材３０における前記枢着部３２に近づくところに第一切り抜き部３６及び第二切り抜き部３８が設置される。前記第一切り抜き部３６の縁部から外へ向かって傾斜して係止用突出部３９がプレス成形される。
【００１４】
前記解錠部材４０は、棒状金属を折り返して形成された矩形部品であって、相対向する当接部４１及び操作部４３、前記当接部４１の一端と前記操作部４３の一端とを連接するアーム部４５、前記操作部４３の他端から前記当接部４１に向かって延在し且つ前記操作部４３に直交するアーム部４７、前記アーム部４７の自由端から前記矩形部品の中部に向かって延在し且つ前記アーム部４７に直交する枢着軸４９を備える。
【００１５】
図２と図３を参照すると、組み立てる時、前記解錠部材４０の枢着軸４９を前記位置決め部材３０の枢着孔３２２に挿通させて、前記解錠部材４０を前記位置決め部材３０の第二端部に回転可能に装着する。前記スライドレール２０の複数の連接部２３を前記位置決め部材３０の複数の連接孔３４に対応するように挿入して固定することにより、前記位置決め部材３０の第一端部を前記スライドレール２０に固定する。この時、前記位置決め部材３０の第一切り抜き部３６がちょうど前記装着溝２１の固定部２１３に対応し、前記位置決め部材３０の係止用突出部３９がちょうど前記装着溝２１のガイド部２１１に対応し、前記解錠部材４０の当接部４１が前記スライドレール２０の凸起２５の傾斜面に当接し、前記解錠部材４０の操作部４３がちょうど前記位置決め部材３０の第二切り抜き部３８に対応するため、便利に操作することができる。
【００１６】
前記サーバー１０を移動することにより、前記突起１１の頸部は、先ず前記スライドレール２０の装着溝２１のガイド部２１１に沿って固定部２１３向かってスライディングし、次に水平方向にスライディングして前記装着溝２１の固定部２１３に進入し、従って前記スライドレール２０が前記サーバー１０に装着される。
【００１７】
前記サーバー１０に形成された前記突起１１が前記装着溝２１のガイド部２１１に沿って固定部２１３向かってスライディングする時、前記位置決め部材３０の係止用突出部３９が前記突起１１の頭部の圧力を受けて前記スライドレール２０から離れる方向に向かって変形し、前記突起１１が前記装着溝２１の固定部２１３に滑り込み、さらに前記位置決め部材３０の第一切り抜き部３６に入る。
【００１８】
前記突起１１が前記固定部２１３に滑り込んだ後、前記係止用突出部３９に対する前記突起１１の頭部の圧力がなくなり、前記位置決め部材３０が変形前の状態に戻り、前記突起１１の頭部が前記位置決め部材３０の係止用突出部３９に係止されるため、前記サーバー１０の突起１１が前記位置決め部材３０の装着溝２１に固定され、従って前記スライドレール２０が前記サーバー１０に固定される。
【００１９】
図４と図５を参照すると、前記サーバー１０から前記スライドレール２０を取り除く場合、前記サーバー１０から離れる方向に向かって前記解錠部材４０の操作部４３を引き出して前記解錠部材４０を回転し、前記解錠部材４０の当接部４１が前記スライドレール２０の凸起２５の傾斜面に沿って滑動し且つ前記スライドレール２０に当接するとともに前記スライドレール２０に圧力を加えるため、前記位置決め部材３０の第二端部が前記スライドレール２０から離れる方向に向かって変形し、前記係止用突出部３９と前記突起１１が分離する。
【００２０】
前記アーム部４５，４７が別々に前記位置決め部材３０の二つの肩部３３に当接するまでに前記解錠部材４０を回転させる。この時、前記解錠部材４０の存在する平面と前記スライドレール２０の側面が鋭角を形成し、前記位置決め部材３０は、安定した解錠状態を保持するため、前記サーバー１０を便利に移動することができ、前記突起１１は、先ず前記スライドレール２０の装着溝２１の固定部２１３長手方向に沿って前記ガイド部２１１に向かってスライディングし、次に前記装着溝２１のガイド部２１１に沿って上に向かってスライディングすることにより、前記装着溝２１から抜け出し、従って前記サーバー１０から前記スライドレール２０が取り除かれる。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０  サーバー
１１  突起
２０  スライドレール
２１  装着溝
２１１  ガイド部
２１３  固定部
２３  連接部
２５  凸起
３０  位置決め部材
３２  枢着部
３２２  枢着孔
３３  肩部
３４  連接孔
３６  第一切り抜き部
３８  第二切り抜き部
３９  係止用突出部
４０  解錠部材
４１  当接部
４３  操作部
４５，４７  アーム部
４９  枢着軸
【図１】
0005243279.tif 000002
【図２】
0005243279.tif 000003
【図３】
0005243279.tif 000004
【図４】
0005243279.tif 000005
【図５】
0005243279.tif 000006